(57)【特許請求の範囲】
【請求項１】
器状のケーシングと、前記ケーシング内面に設けられた回転検出部と、前記回転検出部から導出され前記ケーシングの外面に設けられたコネクタハウジング内に露出させて、前記ケーシングにインサート成形によって保持されたセンサ用端子と、前記センサ用端子と並置されて前記コネクタハウジング内に一端が露出されて前記ケーシングにインサート成形によって保持され、他端は前記ケーシング内に延出して露出した露出部を有したモータ用給電端子と、前記ケーシング内に取り付けられ前記モータ用給電端子とは別体で形成されて一端が前記モータ用給電端子の露出部と接続すると共に、他端に設けられた一対の第１の折り曲げ部でモータ端子を挟むことによりモータ端子と接続されるモータ用給電導体とを備え、前記モータ用給電導体の一端が前記露出部に接続する部分は第２の折り曲げ部により弾接させて接続すると共に、前記第２の折り曲げ部に隣接して第３の折り曲げ部を設け、前記第３の折り曲げ部を対向する前記ケーシングの壁に取り付けることにより、前記第３の折り曲げ部を前記第２の折り曲げ部が対向する壁との間で形成するたわみ部となし、前記モータ用給電端子に給電することにより前記モータ用給電導体を介してモータを駆動し、前記モータのモータ軸がスロットル弁軸を回転させることによりスロットル弁を開閉し、前記スロットル弁の開閉角はスロットル弁軸を介して前記回転検出部に回転を伝えることにより、前記スロットル弁の前記開閉角を検出するようにしたことを特徴とするスロットル弁調整ユニット。
【請求項２】
前記一対の前記第１の折り曲げ部を支持する凹部を有するガイド柱を前記ケーシングに一対備えたことを特徴とする請求項１記載のスロットル弁調整ユニット。
【発明の詳細な説明】
【０００１】
【発明の属する技術分野】
本発明のスロットル弁調整ユニットは、車両のスロットル弁の開閉を調整するユニットに関する。
【０００２】
【従来の技術】
従来のスロットル弁調整ユニットの図面を説明すると、図５は従来のスロットル弁制御ユニットの要部断面図、図６は従来のスロットル弁制御ユニットのケーシングの平面図をそれぞれ示す。
【０００３】
スロットル弁管３１は、金属製で管状をなし、空気と燃料の混合気を通す部分である。
【０００４】
スロットル弁３２は、金属製で円盤状をなし、スロットル弁管３１の通路を開閉し、スロットル弁３２の円盤の中央を横切るスロットル弁軸３３と一体に形成されている。
【０００５】
一対の軸受け３４，３４は、スロットル弁管３１の管壁３５に埋め込まれ、スロットル弁軸３３を両端で支持している。
【０００６】
接続室３６は、スロットル弁３２と隣接し、スロットル弁軸３３が一方の軸受け３４から突き出した部分に配置されている。
【０００７】
３個の伝動歯車３７，３８，３９は互いにかみ合い、一端の伝動歯車３７はスロットル弁軸３３が歯車の中央穴に固定されスロットル弁３２を回転させるようになっている。３個の伝導歯車３７，３８，３９は接続室に配置されている。
【０００８】
摺動子４０は、弾性のある金属材料により形成され、スロットル弁軸３３に中心が固定されている伝動歯車３７の側壁に取り付けられている。
【０００９】
モータ４１は矩形状のハウジング４１ａに収められ、スロットル管の管壁３５に固定され、モータ端子４１ｂとモータ軸４１ｃを突出させて設けられている。モータ４１のモータ軸４１ｃは３個の伝動歯車３７，３８，３９の他端の歯車３９の中心穴に嵌合している。すなわち、モータ４１の回転は３個の伝動歯車３７，３８，３９を介してスロットル弁軸３３を回転させるようになっている。モータ４１は接続室３６に配置されている。
【００１０】
ケーシング４２は、絶縁樹脂製で器状で外形が略楕円形をなしている。ケーシング４２は接続室３６を外方から覆うように取り付けられ、モータ４１と伝動歯車３７，３８，３９及び摺動子４０を覆っている。
【００１１】
抵抗基板４３は、絶縁性でＵ字状をなし、表面に導体路４４を有し、ケーシング４２の一端部に配置されている。ケーシング４２を接続室３６を覆って取り付けると、抵抗基板４３の導体路４４は伝動歯車３７の側壁に取り付けられている摺動子４０と摺接するようになっている。
【００１２】
センサ用端子４５は、金属導体よりなり帯状で、一端が抵抗基板４３の導体路４４に接続されている。センサ用端子４５はケ−シング４２の成形と同時にインサート成形されているので、ケーシング４２の絶縁樹脂に表面を除いて埋め込まれている。
【００１３】
モータ用給電端子４６は金属導体により形成され帯状で、一端はクリップ状のモータ給電部４６ａとしてモータ用給電端子４６の他の部分に比べてケーシング４２底部から上方に立ち上がっている。モータ給電用端子４６はケ−シングの成形と同時にインサート成形されているので、ケーシングの絶縁樹脂にモータ給電部４６ａを除いて埋め込まれている。ケーシング４２を接続室３６を覆って取り付けると、モータ端子４１ｂとモータ給電部４６ａが接続されるようになっている。
【００１４】
コネクタハウジング部４７は絶縁樹脂製で凹部を形成しており、ケーシング４２と一体に成形されている。センサ用端子４５とモータ用給電端子４６はコネクタハウジング部４７に集結し、外部コネクタと接続するようになっている。
【００１５】
次に、従来のスロットル弁制御ユニットの製造方法について説明する。
最初に、ケーシング４２とコネクタハウジング部４７をセンサ用端子４５とモータ用給電端子４６と一体にインサート成形し、この時同時にクリップ状のモータ給電部も成形加工する。このようにしてケーシング４２底面に配線されたセンサ用端子４５とモータ用給電端子４６をコネクタハウジング部４７に集めて端部が露出されるようになっている。次に、ケーシング４２の一端部に抵抗基板４３を貼付固定し導体路４４の端部とセンサ用端子の端部を接続する。別工程として、スロットル弁管３１にスロットル弁３２、軸受け３４、スロットル弁軸３３を取り付け、接続室３６の中にモータを取り付ける。また、伝動歯車３７，３８，３９の一端の歯車３７の中心をスロットル弁軸３３に固定し、他端の歯車３９の中心孔をモータ軸４１ｃに固定して伝動歯車３７，３８，３９を取り付ける。更に、一端の伝動歯車３７の側面に摺動子４０を取り付け固定する。最後に、上記組立したケーシング４２で接続室を覆い、上記別工程でスロットル弁管に組み立てたユニットにケーシング４２を装着固定する。このとき、ケーシング４２側のクリップ状のモータ給電部４６ａがモータ端子４１ｂと嵌合すると共に、抵抗基板４３の導体路４４が伝動歯車３７側面に取り付けられた摺動子４０に接するようになる。以上で、従来のスロットル弁調整ユニットの製造が完了する。
【００１６】
【発明が解決しようとする課題】
上記した従来のスロットル弁調整ユニット及び製造方法は、先端がクリップ状で複雑な形状をした、モータ端子との接続部を有し、この接続部は他の部分に比してケーシングから立ち上がっており、他の部分はケーシング上を引き回さなければならず、このようなモータ給電用端子をインサート成形でケーシングと一体に成形させねばならないので成形金型構造が複雑になってしまうという問題点があった。
【００１７】
従って、本発明の目的は、成形金型構造が簡単なスロットル弁調整ユニットを提供する。
【００１８】
本発明のスロットル弁調整ユニットは、器状のケーシングと、前記ケーシング内面に設けられた回転検出部と、前記回転検出部から導出され前記ケーシングの外面に設けられたコネクタハウジング内に露出させて、前記ケーシングにインサート成形によって保持されたセンサ用端子と、前記センサ用端子と並置されて前記コネクタハウジング内に一端が露出されて前記ケーシングにインサート成形によって保持され、他端は前記ケーシング内に延出して露出した露出部を有したモータ用給電端子と、前記ケーシング内に取り付けられ前記モータ用給電端子とは別体で形成されて一端が前記モータ用給電端子の露出部と接続すると共に、他端に設けられた一対の第１の折り曲げ部でモータ端子を挟むことによりモータ端子と接続されるモータ用給電導体とを備え、前記モータ用給電導体の一端が前記露出部に接続する部分は第２の折り曲げ部により弾接させて接続すると共に、前記第２の折り曲げ部に隣接して第３の折り曲げ部を設け、前記第３の折り曲げ部を対向する前記ケーシングの壁に取り付けることにより、前記第３の折り曲げ部を前記第２の折り曲げ部が対向する壁との間で形成するたわみ部となし、前記モータ用給電端子に給電することにより前記モータ用給電導体を介してモータを駆動し、前記モータのモータ軸がスロットル弁軸を回転させることによりスロットル弁を開閉し、前記スロットル弁の開閉角はスロットル弁軸を介して前記回転検出部に回転を伝えることにより、前記スロットル弁の前記開閉角を検出するようにした。
この構成により、モータ給電端子とは別体のモータ用給電導体を用い、このモータ用給電導体の分を一体成型で他のモータ給電端子と共に形成しなくともよいので、成型金型構造が簡単になる。
【００１９】
また、前記モータ用給電導体の一端が前記露出部に接続する部分は第２の折り曲げ部により弾接させて接続した。
この構成により、第２の折り曲げ部分を挿入するだけで接続ができるので、接続が簡単になる。
【００２０】
また、前記第２の折り曲げ部に隣接して第３の折り曲げ部を設け、前記第３の折り曲げ部を前記第２の折り曲げ部が対向する壁との間で形成するたわみ部となした。
この構成により、第３の折り曲げ部がたわみ部となって、第２の折り曲げ部による接続がケーシングの膨張や収縮によって受ける影響を排除している。
【００２１】
また、前記一対の前記第１の折り曲げ部を支持する凹部を有するガイド柱を前記ケーシングに一対備えた。
この構成により、第１の折り曲げ部の位置が確実に固定され接続が確実となる。
【００２３】
【発明の実施の形態】
本発明のスロットル弁調整ユニットの実施形態の図面を説明すると、図１は本発明のスロットル弁調整ユニットの実施形態のケーシングの平面図、図２は本発明のスロットル弁調整ユニットの実施形態のケーシングを組み込んだ状態での図１の２−２線における部分断面図、図３は図１の３−３線における断面図、図４は図１の４−４線における断面図をそれぞれ示す。
【００２４】
スロットル弁管１は金属製で管状をなし、空気と燃料の混合気を通す部分である。
【００２５】
スロットル弁２は金属製で円盤状をなし、スロットル弁管１の通路を開閉し、スロットル弁軸３を有している。スロットル弁軸３はスロットル弁２の円盤状部の中央を横切るようにスロットル弁１と一体に形成されている。スロットル弁軸の先端付近にはギヤ歯車が取り付けられギヤとなっている。
【００２６】
一対の軸受け４，４は、スロットル弁管の管壁１ａに埋め込まれ、スロットル弁軸３を２箇所で支持している。
【００２７】
接続室５は、スロットル弁軸３の軸受け４，４の外側で、スロットル弁軸が突出する部分に設けられている。
【００２８】
３個の伝動歯車６，７，８は、互いにかみ合い、一端の伝動歯車６はスロットル弁軸３の端部にギヤ歯車が刻まれて形成され、他端の伝動歯車の回転によりスロットル弁を開閉させるようになっている。３個の伝動歯車６，７，８は接続室に配置されている。
【００２９】
モータ９は、矩形状のハウジング９ａに収められ、接続室５に配置され、スロットル弁管１の管壁１ａから一体に延出した部分に固定され、モータ端子９ｂとモータ軸９ｃを突出させて設けられている。モータ軸９ｃは３個の伝動歯車６，７，８の他端の歯車８の中心穴に嵌合している。すなわち、モータの回転は３個の伝動歯車６，７，８を介してスロットル弁軸３を回転させ、スロットル弁２を開閉させるようになっている。
【００３０】
器状のケーシング１０は、絶縁樹脂製で略楕円形状をなしている。ケーシング１０は外方からモータ９や３個の伝動歯車６，７，８を覆うようにスロットル弁管１の管壁１ａが延出した部分に固定部１０ｃにより取り付けられ、モータ９と伝動歯車６，７，８を覆い接続室５を形成している。また、ケーシング１０底部には収納部１１が設けられている。
【００３１】
２本のモータ用給電導体１２，１２は、金属導体よりなり、一端には第１の折り曲げ部１２ａを有し、他端には第２の折り曲げ部１２ｂを有している。第１の折り曲げ部１２ａは各一対設けられている。一対の第１の折り曲げ部１２ａにはモータ端子９ｂが挟持されて接続されている。また、図３に示すように、一対の第１の折り曲げ部１２ａはケーシング１０底部から立ち上がる支持柱１０ａの凹部１０ｂに支持されている。第２の折り曲げ部１２ｂは隣接して第３の折り曲げ部１２ｃを有している。モータ用給電導体１２は全体としてかしめによりかしめ部を介してケーシングに固定されている。
【００３２】
回転伝達部１３は、金属製でコ字状の金属片からなり、ケーシング１０底部に露出して設けられている。回転伝達部１３にはスロットル弁軸３の先端が嵌入し、スロットル弁軸３の回転を回転伝達部１３に伝えるようになっている。
【００３３】
回転検出部１４は摺動子受け１４ａ、摺動子片１４ｂ、抵抗基板１４ｃ、蓋部１４ｅなどから構成されている。
【００３４】
摺動子受け１４ａは、絶縁樹脂製で、円筒下端から円盤部が突出している形状をなしている。摺動子受け１４ａはケーシング１０底部の収納部１１に配置されている。また、摺動子受け１４ａは回転伝達部１３と嵌合し、回転伝達部１３の回転が摺動子受け１４ａに伝達されるようになっている。
【００３５】
摺動子片１４ｂは、弾性のある金属材料よりなり、摺動子受け１４ａに取り付けられて摺動子受け１４ａと共に回転可能に設けられている。従って、摺動子片１４ｂはスロットル弁軸３の回転に従って回転する。摺動子片１４ｂは、ケーシング１０底部の収納部１１内に配置されている。
【００３６】
抵抗基板１４ｃは、表面に導体路（図示せず）が設けられ、端部には引出端子１４ｄが設けられて、ケーシング１０底部の収納部１１内に配置されている。摺動子片１４ｂは抵抗基板１４ｃの導体路の上を摺動し、スロットル弁軸の開閉角のデータを取り出している。
【００３７】
蓋部１４ｅ、は絶縁樹脂製の略矩形状の平板からなりケーシング１０底部の収納部１１を下側から覆っており、かしめによりケーシング１０底部に固定されている。
【００３８】
センサ用端子１５は、金属製の導体よりなり抵抗基板１４ｃの引出端子１４ｄと接続され、ケーシング１０の底部に延出している。
【００３９】
コネクタハウジング１６は、絶縁樹脂製の凹部１６ａを有し、ケーシングの底部の収納部１１の側部にあり、抵抗基板１４ｃの引出端子１４ｄと接続されたセンサ用端子１５が凹部１６ａに露出している。
【００４０】
モータ用給電端子１７は、金属製の導体よりなり、インサート成形によりセンサ用端子１５と並列してコネクタハウジング１６の凹部１６ａに一端が露出し、他端はケーシング１０底部に露出して、露出部１７ａをなしている。図４に示すように、モータ用給電端子１７の露出部１７ａはモータ用給電導体１２の第２の折り曲げ部１２ｂと接続している。第２の折り曲げ部１２ｂは折り曲げた部分にモータ用給電端子１２の露出部１７ａであるストレートな部分を挟むようにして接続している。このとき、第３の折り曲げ部１２ｃが第２の折り曲げ部１２ｂに隣接し、第３の折り曲げ部１２ｃが第２の折り曲げ部１２ｂの折り曲げを戻すように湾曲して曲がり、対向するケーシング１０の底部から立ち上がった壁に取り付けられているため、第３の折り曲げ部１２ｃはたわみ部となって、第２の折り曲げ部１２ｂによる接続がケーシングの膨張や収縮によって受ける影響を排除している。このようにしてモータ用給電端子１７に供給された電気を第２の折り曲げ部１２ｂを経由してモータ用給電導体１２の第１の折り曲げ部１２ａへと伝達しモータ端子９ｂへ給電するようになっている。
【００４１】
次に、スロットル弁調整ユニットの製造方法について述べると、初めに、ケーシング１０外側面に一体に筒状のコネクタハウジング１６と抵抗基板１４ｃを収納する収納部１１とをセンサ用端子１５とモータ給電用端子１７と共に一体にインサート成形する。摺動子片１４ｂを取り付けた摺動子受け１４ａに回転伝達部１３を嵌合し、回転伝達部１３をケーシング１０内に露出させながら摺動子受け１４ａを収納部１１内に回転可能に装着する。次に、抵抗基板１４ｃを摺動子片１４ｂが抵抗基板１４ｃに接するように収納部１１に収納固定し、抵抗基板１４ｃと収納部１１に露出しているセンサ用端子１５とを接続する。このとき、センサ用端子１５の他端はコネクタハウジング１６の凹部１６ａに露出している。次に、収納部１１を蓋１４ｅにより密封する。次に、モータ用給電導体１２をケーシング１０底部にかしめにより固定し、センサ用端子１５とコネクタハウジング１６の凹部１６ａ内で並置され内端がケーシング１０内に露出されたモータ用給電端子１７の露出部１７ａとモータ用給電導体１２の一端とを第２の折り曲げ部１２ｂを介して接続する。
【００４２】
別工程として、スロットル弁管１にスロットル弁２、軸受け４，４、スロットル弁軸３を取り付け、接続室５の中にモータ９を取り付ける。また、伝動歯車６，７，８の一端の歯車８の中心孔をモータ軸９ｃに固定し、伝動歯車６，７，８を接続室５内に取り付ける。最後に、上記組立したケーシング１０で接続室５を覆い、上記別工程でスロットル弁管１に組み立てたユニットにケーシング１０を装着固定する。このとき、モータ用給電導体１２とモータ端子９ｂとをモータ用給電導体１２の他端に設けられた一対の第１の折り曲げ部１２ａにモータ端子９ｂを挟持させて接続し、これと同時にスロットル弁軸３の先端を回転伝達部１３と結合し摺動子受け１４ａへの回転伝達を行う。以上により本発明のスロットル弁調整ユニットの製造が完了する。
【００４３】
本実施形態においては、モータ用給電端子１７の両端の露出部分は板状であり、絶縁樹脂部分から垂直方向に延びた形状になっている。従って、インサート金型を複雑にする必要はない。モータ用給電端子１７と弾接接続するための複雑な形状の部分と、モータ端子９ｂが弾接接続される複雑な形状部分をモータ用給電導体１２として、別に製造し、ケーシングに取り付けているので、簡単に製造ができる。
【００４４】
【発明の効果】
以上説明したように、本発明のスロットル弁調整ユニットは、器状のケーシングと、ケーシング内面に設けられた回転検出部と、回転検出部から導出されケーシングの外面に設けられたコネクタハウジング内に露出させて、ケーシングにインサート成形によって保持されたセンサ用端子と、センサ用端子と並置されてコネクタハウジング内に一端が露出されてケーシングにインサート成形によって保持され、他端はケーシング内に延出して露出した露出部を有したモータ用給電端子と、ケーシング内に取り付けられモータ用給電端子とは別体のモータ用給電導体とを備え、モータ用給電導体の一端がモータ用給電端子の露出部と接続すると共に、モータ用給電導体の他端に設けられた一対の第１の折り曲げ部で挟むことによりモータ端子と接続し、モータ用給電端子に給電することによりモータ用給電導体を介してモータを駆動し、モータのモータ軸がスロットル弁軸を回転させることによりスロットル弁を開閉し、スロットル弁の開閉角はスロットル弁軸を介して回転検出部に回転を伝えることにより、スロットル弁の開閉角を検出するようにした。
この構成により、組立の手間がかからず、別体のモータ用給電導体を用いるため、成形金型構造が簡単なスロットル弁調整ユニットを提供できる。
【図面の簡単な説明】
【図１】本発明のスロットル弁調整ユニットの実施形態のケーシングの平面図である。
【図２】本発明の本発明のスロットル弁調整ユニットの実施形態のケーシングを組み込んだ状態での図１の２−２線における部分断面図である。
【図３】本発明の図１の３−３線における断面図である。
【図４】本発明の図１の４−４線における断面図である。
【図５】従来の従来のスロットル弁制御ユニットの要部断面図である。
【図６】従来の従来のスロットル弁制御ユニットのケーシングの平面図である。
【符号の説明】
１  スロットル弁管
２  スロットル弁
３  スロットル弁軸
４  軸受け
５  接続室
６、７，８  伝動ギヤ
９  モータ
９ｂ  モータ端子
９ｃ  モータ軸
１０  ケーシング
１０ａ  ガイド柱
１１  収納部
１２  モータ用給電導体
１２ａ  第１の折り曲げ部
１２ｂ  第２の折り曲げ部
１２ｃ  第３の折り曲げ部
１３  回転伝達部
１４  回転検出部
１４ａ  摺動子受け
１４ｃ  抵抗基板
１５  センサ用端子
１６  コネクタハウジング
１７  モータ用給電端子
１７ａ  露出部
【図１】
0003929742.tif 000002
【図２】
0003929742.tif 000003
【図３】
0003929742.tif 000004
【図４】
0003929742.tif 000005
【図５】
0003929742.tif 000006
【図６】
0003929742.tif 000007